(57)【要約】【課題】保守員の点検作業開始までに要する時間を短縮でき、効率的に点検作業を進めることのできるエレベータ点検システムを提供する。【解決手段】一実施形態に係るエレベータ点検システムは、無線伝送装置２５と、呼び登録制御部１２ａと、通知制御部１２ｂと、運転制御部１２ｃとを備える。無線伝送装置２５は、建屋の任意の場所に設置されている。呼び登録制御部１２ａは、保守員の保守点検用携帯端末２６から発信される点検開始信号を無線伝送装置２５を介して受信したときに、新規呼び登録を無効化する。通知制御部１２ｂは、呼び登録制御１２ａによる新規呼び登録の無効化に際し、利用者に対して呼び登録の禁止を通知する。運転制御部１２ｃは、新規呼び登録が無効化された状態で、現在登録済みの呼びのすべての応答完了を待って点検モードに切り替える。【選択図】図１
2017100852.tif 000002
【特許請求の範囲】
【請求項１】
建屋の任意の場所に設置された無線伝送装置を備えたエレベータ点検システムにおいて、
保守員の携帯端末から発信される点検開始信号を上記無線伝送装置を介して受信したときに、新規呼び登録を無効化する呼び登録制御手段と、
この呼び登録制御手段による新規呼び登録の無効化に際し、利用者に対して呼び登録の禁止を通知する通知制御手段と、
新規呼び登録が無効化された状態で、現在登録済みの呼びのすべての応答完了を待って点検モードに切り替える運転制御手段と、
を具備したことを特徴とするエレベータ点検システム。
【請求項２】
上記通知制御手段は、
上記運転制御手段によって上記点検モードに切り替えられたときに、新規呼び登録が無効化されたことを利用者に対して通知することを特徴とする請求項１記載のエレベータ点検システム。
【請求項３】
上記通知制御手段は、
上記呼び登録制御手段によって新規呼び登録が無効化されるまでの残り時間をカウントし、その残り時間を含めて利用者に対して通知することを特徴とする請求項２記載のエレベータ点検システム。
【請求項４】
上記通知制御手段は、
上記運転制御手段によって上記点検モードに切り替えられたときに、保守員に対して点検作業が可能になった旨を上記無線伝送装置を介して上記携帯端末に送信することを特徴とする請求項１記載のエレベータ点検システム。
【請求項５】
上記建屋に設置されたエレベータの点検作業に必要な点検情報を取得する点検情報取得手段と、
この点検情報取得手段によって得られた点検情報を上記無線伝送装置を介して上記携帯端末に提供する情報提供手段と
をさらに具備したことを特徴とする請求項１記載のエレベータ点検システム。
【請求項６】
上記点検情報には、点検作業の内容と手順、過去の点検履歴から得られる異常箇所の情報を含むことを特徴とする請求項５記載のエレベータ点検システム。
【請求項７】
上記呼び登録制御手段は、
上記携帯端末から発信される点検終了信号を上記無線伝送装置を介して受信したときに、新規呼び登録を有効化することを特徴とする請求項１記載のエレベータ点検システム。
【請求項８】
上記通知制御手段は、
新規呼び登録が有効化されたことを利用者に対して通知することを特徴とする請求項７記載のエレベータ点検システム。
【発明の詳細な説明】
【技術分野】
【０００１】
本発明の実施形態は、エレベータ点検システムに関する。
【背景技術】
【０００２】
エレベータの保守点検作業を行う保守員は、各物件のエレベータを定期的に巡回し、異常の有無などを点検している。ここで、エレベータを点検する場合、保守員は、現在登録済みのすべての呼び（乗場呼び及びかご呼び）にエレベータ（乗りかご）が応答したことを確認してから点検モードに切り替える。
【先行技術文献】
【特許文献】
【０００３】
【特許文献１】特開２０１３−１８５８５号公報
【発明の概要】
【発明が解決しようとする課題】
【０００４】
上述したように、エレベータを点検する場合、すべての呼びへの応答を待ってから点検モードに切り替える必要があるため、保守員が点検作業を開始するまでに時間を要していた。特に、多数の呼びが登録されていると、すべての呼びへの応答が完了するまでに時間がかかり、その間に、新たな呼びが登録される可能性が高くなるため、保守員が点検作業をなかなか開始できないのが現状である。
【０００５】
本発明が解決しようとする課題は、保守員の点検作業開始までに要する時間を短縮でき、効率的に点検作業を進めることのできるエレベータ点検システムを提供することである。
【課題を解決するための手段】
【０００６】
一実施形態に係るエレベータ点検システムは、無線伝送装置が建屋の任意の場所に設置され、呼び登録制御手段と、通知制御手段と、運転制御手段とを備える。
【０００７】
上記呼び登録制御手段は、保守員の携帯端末から発信される点検開始信号を上記無線伝送装置を介して受信したときに、新規呼び登録を無効化する。上記通知制御手段は、上記呼び登録制御手段による新規呼び登録の無効化に際し、利用者に対して呼び登録の禁止を通知する。上記運転制御手段は、新規呼び登録が無効化された状態で、現在登録済みの呼びのすべての応答完了を待って点検モードに切り替える。
【図面の簡単な説明】
【０００８】
【図１】図１は一実施形態に係るエレベータ点検システムのブロック図である。
【図２】図２は同実施形態における乗場の構成を示す図である。
【図３】図３は同実施形態におけるエレベータの乗りかごの構成を示す図である。
【図４】図４は同実施形態における監視センタの構成を示すブロック図である。
【図５】図５は同実施形態における監視センタに設けられた物件管理用のデータベースの一例である。
【図６】図６は同実施形態におけるエレベータ制御装置の機能構成を示すブロック図である。
【図７】図７は同実施形態におけるエレベータ点検システムの動作を示すフローチャートである。
【図８】図８は同実施形態における乗場及び乗りかご内の表示器に表示される画面の一例である。
【図９】図９は同実施形態における点検情報を示す画面が表示された保守点検用携帯端末の一例である。
【図１０】図１０は同実施形態における点検作業可能の旨を示す画面が表示された保守点検用携帯端末の一例である。
【図１１】図１１は同実施形態における乗場及び乗りかご内の表示器に表示される画面の一例である。
【図１２】図１２は他の実施形態における乗場及び乗りかご内の表示器に表示される画面の一例である。
【発明を実施するための形態】
【０００９】
以下、図面を参照して実施形態を説明する。
【００１０】
図１は一実施形態に係るエレベータ点検システムのブロック図である。
【００１１】
点検対象となるエレベータ１１には、エレベータ制御装置１２、遠隔監視装置１３などが備えられている。エレベータ制御装置１２は、コンピュータからなり、乗りかご３１を駆動するモータの制御やドアの開閉制御などを含む乗りかご３１の運転制御を行う。また、エレベータ制御装置１２は、遠隔監視装置１３、無線伝送装置２５、各階の乗場に設けられた乗場呼び登録装置２２、スピーカ２３及び表示器２４、乗りかご３１内のスピーカ３６及び表示器３７などと接続している。
【００１２】
遠隔監視装置１３は、エレベータ制御装置１２とは独立して設けられている。遠隔監視装置１３は、監視センタ１５との間の通信機能を備え、エレベータ制御装置１２から取得したエレベータ１１の各種信号（動作状態情報等）を公衆回線網１４を介して送信する。なお、公衆回線網１４としては、電話回線やインターネットなどが用いられるが、その通信形態は特に限定されるものではない。
【００１３】
監視センタ１５は、遠隔地に存在し、公衆回線網１４を介してエレベータ１１を常時監視している。図１は、エレベータ１１のみが公衆回線網１４に接続している状態を示しているが、実際は各地に点在する多数のエレベータが公衆回線網１４に接続している。監視センタ１５は、これらの多数のエレベータからの各種信号（動作状態情報等）を監視画面に表示するなどしており、何らかの異常を検出した場合には、保守員を現場へ派遣するなどして対応する。
【００１４】
図２は任意の階の乗場２０の構成を示す図である。図中の２１は乗場ドアである。
【００１５】
乗場ドア２１は、乗りかご３１の到着時にかごドアと連動して開閉動作する。乗場ドア２１の横には、乗場呼び登録装置２２、スピーカ２３、表示器２４が設置されている。乗場呼び登録装置２２は、利用者が乗場２０にて乗場呼びを登録するための装置であり、行先方向（上方向／下方向）を指定するための乗場呼びボタン２２ａを有する。なお、最上階の乗場２０に設けられた乗場呼び登録装置２２は下方向の乗場呼びボタンのみ、最下階の乗場２０に設けられた乗場呼び登録装置２２は上方向の乗場呼びボタンのみを有する。
【００１６】
スピーカ２３からは、利用者に向けたメッセージがアナウンスとして音声出力される。表示器２４は、例えば小型のＬＣＤ（Liquid Crystal Display）からなり、乗りかご３１の現在位置や運転方向などを示す。また、表示器２４には、利用者に向けたメッセージを示す画面が表示される。
【００１７】
無線伝送装置２５は、無線信号の送受信を行う装置である。また、無線伝送装置２５は、無線信号を受信すると、その信号に含まれる情報をエレベータ制御装置１２に送る。さらに、無線伝送装置２５は、エレベータ制御装置１２から送られてきた信号を無線信号として発信する。なお、図２では乗場２０に無線伝送装置２５を設置した例を示したが、無線伝送装置２５は、建屋の任意の場所に少なくとも１台設置されていれば良い。
【００１８】
保守員は、通信機能付きの保守点検用携帯端末２６を所持している。携帯端末２６は、監視センタ１５との間の通信機能の他に、エレベータの点検作業に必要な各種アプリケーションが搭載されている。図中の２６ａは操作ボタンであり、２６ｂは表示部である。
【００１９】
保守員が携帯端末２６で所定の操作を行うことで、携帯端末２６から点検開始信号や点検終了信号が無線信号として発信される。「点検開始信号」は、エレベータ１１の点検作業の開始を知らせる信号である。「点検終了信号」は、エレベータ１１の点検作業の終了を知らせる信号である。これらの信号は、無線伝送装置２５によって受信され、エレベータ制御装置１２に送られる。また、携帯端末２６は、エレベータ制御装置１２から無線伝送装置２５を介して発信される無線信号を受信する。なお、無線伝送装置２５と携帯端末２６との間の無線通信には、Ｗｉ-Ｆｉ（Wireless Fidelity）（登録商標）やＢｌｕｅｔｏｏｔｈ（登録商標）などが用いられる。
【００２０】
図３はエレベータ１１の乗りかご３１の構成を示す図である。
【００２１】
乗りかご３１の正面にはかごドア３２が開閉自在に取り付けられている。このかごドア３２の横には、操作パネル３３、非常呼びボタン３４、マイク３５、スピーカ３６、表示器３７などが設置されている。
【００２２】
操作パネル３３には、複数の階床ボタン３３ａ、戸開ボタン３３ｂ、戸閉ボタン３３ｃなどの各種ボタンが配設されている。非常呼びボタン３４は、非常時に外部に連絡をするための操作ボタンである。非常呼びボタン３４を押下することで監視センタ１５と乗りかご３１との間の電話回線が接続され、利用者はマイク３５とスピーカ３６を通じて監視センタ１５のオペレータと通話することができる。
【００２３】
また、スピーカ３６からは、利用者に向けたメッセージがアナウンスとして音声出力される。表示器３７は、乗場２０の表示器２４と同様の表示器で、例えば小型のＬＣＤ（Liquid Crystal Display）からなり、乗りかご３１の現在位置や運転方向、利用者に向けたメッセージを示す画面を表示する。
【００２４】
図４は監視センタ１５の構成を示すブロック図である。
【００２５】
監視センタ１５は、通信装置１６、記憶装置１７、制御装置１８が備えられている。通信装置１６は、公衆回線網１４に接続されており、エレベータ１１から送られてくる各種信号の受信やエレベータ１１を遠隔操作するための情報の送信などを行う。
【００２６】
記憶装置１７には、図５に示す物件管理用のデータベース１７ａが設けられている。データベース１７ａは、各物件の識別番号（物件ＩＤ）、物件名、物件に設置されているエレベータ（乗りかご）の台数や号機の情報、点検作業の内容と手順、点検履歴などの情報を記憶している。また、記憶装置１７には、各保守員の氏名、所属、連絡先などの情報が記憶されている。
【００２７】
制御装置１８は、エレベータ１１から送られてくる各種信号（動作状態情報等）を記憶装置１７に記憶する。また、制御装置１８は、保守員がエレベータ１１の点検作業を行う場合、点検作業対象の物件の点検情報を記憶装置１７から読み出し、通信装置１６を介してエレベータ１１に送信する。ここで、「点検情報」とは、保守員がエレベータを点検するために必要な情報のことであり、点検作業の内容や手順、過去の点検履歴から得られる異常箇所などの情報を含む。
【００２８】
図６はエレベータ制御装置１２の機能構成を示すブロック図である。
【００２９】
エレベータ制御装置１２には、呼び登録制御部１２ａ、通知制御部１２ｂ、運転制御部１２ｃ、点検情報取得部１２ｄ、点検情報提供部１２ｅが備えられている。
【００３０】
呼び登録制御部１２ａは、保守員の携帯端末２６から発信される点検開始信号を無線伝送装置２５を介して受信したときに、乗場呼び登録装置２２、乗りかご３１内の階床ボタン３３ａによる新規呼び登録を無効化する。また、携帯端末２６から発信される点検終了信号を無線伝送装置２５を介して受信したときに、乗場呼び登録装置２２、乗りかご３１内の階床ボタン３３ａによる新規呼び登録を有効化する。
【００３１】
通知制御部１２ｂは、利用者と保守員に対して点検作業に関する各種通知を行う。すなわち、通知制御部１２ｂは、呼び登録制御部１２ａによる新規呼び登録の無効化に際し、利用者に対して呼び登録の禁止を事前に通知し、新規呼び登録が無効化された時点で現在呼び登録ができない状態にあることを通知する。呼び登録制御部１２ａによって新規呼び登録が有効化されたときには、通知制御部１２ｂは、利用者に対して現在呼び登録ができる状態にあることを通知する。
【００３２】
また、後述する運転制御部１２ｃによって点検モードが切り替えられたときに、通知制御部１２ｂは、保守員に対して点検作業が可能になった旨を無線伝送装置２５を介して携帯端末２６に送信する。
【００３３】
運転制御部１２ｃは、乗りかご３１の運転制御を行う。本実施形態において、運転制御部１２ｃは、新規呼び登録が無効化された状態で、現在登録済みの呼びのすべての応答完了を待って通常運転モードから点検モードに切り替える。また、運転制御部１２ｃは、新規呼び登録が有効化されたときに、点検モードから通常運転モードに切り替える。
【００３４】
ここで、「通常運転モード」とは、乗りかごの通常運転時に使用される運転モードのことである。「点検モード」とは、保守員がエレベータの点検作業を行うための運転モードのことである。
【００３５】
点検情報取得部１２ｄは、エレベータ１１の点検作業に必要な点検情報を監視センタ１５のデータベース１７ａから取得する。
【００３６】
点検情報提供部１２ｅは、点検情報取得部１２ｄが監視センタ１５から取得した点検情報を無線伝送装置２５を介して保守員が所持する携帯端末２６に提供する。
【００３７】
次に、本実施形態の動作について説明する。
【００３８】
図７はエレベータ点検システムの動作を示すフローチャートである。左側が携帯端末２６の処理、右側がエレベータ制御装置１２の処理を示している。
【００３９】
今、図２に示したように、保守員が携帯端末２６を持って、エレベータ１１の各箇所を点検する場合を想定する。保守員が所定の操作により点検開始を指示すると、携帯端末２６から点検開始信号が発信される（ステップＡ１１）。その点検開始信号は、無線伝送装置２５によって受信された後、エレベータ制御装置１２に送られる。
【００４０】
エレベータ制御装置１２は、無線伝送装置２５を介して点検開始信号を受信する（ステップＢ１１）。この点検開始信号の受信に伴い、呼び登録制御部１２ａは、通知制御部１２ｂを介して利用者に呼び登録ができなくなる旨の通知を行う（ステップＢ１２）。
【００４１】
このとき、各階の乗場２０及び乗りかご３１内の表示器２４，３７に表示される画面の一例を図８（ａ）に示す。図８（ａ）には、乗りかご３１の現在位置及び運転方向とともに呼び登録ができなくなる旨が表示されている。また、各階の乗場２０及び乗りかご３１内のスピーカ２３，３６から呼び登録ができなくなる旨が音声にてアナウンスされる。なお、ここでは表示と音声で通知する構成としたが、どちらか一方であっても良い。
【００４２】
通知制御部１２ｂによって呼び登録ができなくなる旨が通知された後、呼び登録制御部１２ａは、新規呼び登録を無効化する（ステップＢ１３）。「新規呼び登録を無効化する」とは、具体的には各階の乗場呼びボタン２２ａと乗りかご３１内の階床ボタン３３ａをロックして呼び（乗場呼び／かご呼び）を新たに登録できない状態にすることである。新規呼び登録が無効化されたとき、通知制御部１２ｂは呼び登録ができない状態にあることを利用者に通知する（ステップＢ１４）。
【００４３】
このとき、各階の乗場２０及び乗りかご３１内の表示器２４，３７に表示される画面の一例を図８（ｂ）に示す。図８（ｂ）には、乗りかご３１の現在位置及び運転方向とともに呼び登録ができない状態にあることが表示されている。また、各階の乗場２０及び乗りかご３１内のスピーカ２３，３６から呼び登録ができない状態にあることが音声にてアナウンスされる。なお、ここでは表示と音声で通知する構成としたが、どちらか一方であっても良い。
【００４４】
続いて、点検情報取得部１２ｄによって監視センタ１５から点検対象物件であるエレベータ１１の点検情報が取得される（ステップＢ１５）。ここでの点検情報の取得方法について説明する。点検情報取得部１２ｄは、監視センタ１５に点検対象物件であるエレベータ１１の点検情報を要求する。この要求に応答して、監視センタ１５内の制御装置１８は、記憶装置１７のデータベース１７ａからエレベータ１１に関する点検情報を読み出し、その点検情報を通信装置１６を介してエレベータ１１に送信する。
【００４５】
点検情報提供部１２ｅは、監視センタ１５から得られた点検情報を無線伝送装置２５を介して、携帯端末２６に送信する（ステップＢ１６）。携帯端末２６によって点検情報が受信されると、点検情報を示す画面が表示部２６ｂに表示される（ステップＡ１２）。
【００４６】
図９に点検情報を示す画面が表示された携帯端末２６を示す。点検情報には、物件ＩＤや点検作業内容、作業手順等が含まれている。したがって、点検モードに切り替えられるまでの間、保守員はこれらの情報を見ることで点検作業内容や作業手順等を事前に確認できる。また、点検情報には、過去の点検履歴から得られる異常箇所の情報も含まれている。これにより、エレベータ１１に過去の点検作業時に何らかの異常箇所が検出されていれば、その異常箇所に関する情報も同時に確認しておくことができる。
【００４７】
その後、新規呼び登録が無効化される前に登録されていたすべての呼びに対し、乗りかご３１が応答を完了すると（ステップＢ１７）、運転制御部１２ｃは運転モードを通常運転モードから点検モードに切り替え、乗りかご３１を所定の階に移動させる（ステップＢ１８）。
【００４８】
詳しくは、運転制御部１２ｃは、利用者によって登録された呼び（乗場呼び／かご呼び）を管理するための図示せぬ呼び管理テーブルを参照し、既に登録済みの未応答の呼びのすべてに乗りかご３１が応答完了したか否かを確認する。既に登録済みの未応答の呼びのすべてに乗りかご３１が応答完了すると、運転制御部１２ｃは、点検作業を安全に行える状態になったものと判断して点検モードに切り替え、乗りかご３１を所定の階に移動させる。上記「所定の階」は、保守員がエレベータ１１の点検作業を開始する階として決められており、例えば基準階（１階）である。保守員は、上記所定の階で乗りかご３１の到着を待つ。
【００４９】
続いて、通知制御部１２ｂは、エレベータ１１の点検作業が可能になった旨を保守員に通知する。詳しくは、通知制御部１２ｂは、点検作業が可能になった旨を知らせる信号を無線伝送装置２５を介して携帯端末２６に送信する（ステップＢ１９）。携帯端末２６は、点検作業可能の信号を受信すると、その旨を保守員に通知するための画面を表示部２６ｂに表示する（ステップＡ１３）。
【００５０】
図１０に表示部２６ｂに点検作業可能の旨を示す画面が表示された携帯端末２６を示す。なお、点検作業可能の旨を通知するタイミングは、運転制御部１２ｃが乗りかご３１を所定の階に移動させたときから乗りかご３１が所定の階に到着するまでの間であれば良い。
【００５１】
乗りかご３１が所定の階に到着すると、保守員は携帯端末２６の表示部２６ｂに表示される点検情報に従ってエレベータ１１の点検作業を開始する（ステップＡ１４）。エレベータ１１の点検作業の終了後、保守員が所定の操作により、点検終了を指示すると、携帯端末２６から点検終了信号が発信される（ステップＡ１５）。
【００５２】
エレベータ制御装置１２は、無線伝送装置２５を介して点検終了信号を受信する（ステップＢ２０）。この点検情報信号の受信に伴い、呼び登録制御部１２ａは新規呼び登録を有効化する（ステップＢ２１）。「新規呼び登録を有効化する」とは、具体的には各階の乗場呼びボタン２２ａと乗りかご３１内の階床ボタン３３ａのロック状態を解除して呼び（乗場呼び／かご呼び）を新たに登録できる状態にすることである。
【００５３】
新規呼び登録を有効化したときに、運転制御部１２ｃは運転モードを点検モードから通常運転モードに切り替える。また、通知制御部１２ｂは点検終了と呼び登録ができる状態にあることを利用者に通知する（ステップＢ２２）。
【００５４】
このとき、各階の乗場２０及び乗りかご３１内の表示器２４，３７に表示される画面の一例を図１１に示す。図１１には、乗りかご３１の現在位置とともに、点検が終了した旨及び呼び登録ができる状態にあることが表示されている。また、各階の乗場２０及び乗りかご３１内のスピーカ２３，３６から呼び登録ができる状態にあることが音声にてアナウンスされる。なお、ここでは表示と音声で通知する構成としたが、どちらか一方であっても良い。
【００５５】
このように本実施形態によれば、保守員が現場で携帯端末を操作するだけで、新規呼び登録を無効化すると共に現在登録済みのすべての呼びへの応答完了後に点検モードへ自動的に切り替えることができる。したがって、保守員がエレベータの点検を開始するときに必要であった準備作業の手間をなくして早めに点検作業を開始できるようになる。
【００５６】
また、点検モードに切り替えられるまでの間にエレベータの点検作業に必要な情報が保守員の携帯端末に送られてくる。したがって、その間に保守員は事前に点検作業内容や作業手順、異常箇所等を確認しておくことができ、点検モードに切り替えられたときに点検作業を効率的に進めることができる。
【００５７】
また、点検モードに切り替えられる前に利用者に対して呼び登録ができなくなる旨が事前に通知されるので（図８（ａ）参照）、保守員が各階に点検中のステッカーなどを掛けておかなくとも、作業前に利用者が呼び登録することを防ぐことができる。さらに、実際に点検モードに切り替えられた後は呼び登録ができない状態にあることが通知されるので（図８（ｂ）参照）、作業中でも利用者が誤って呼び登録することを防ぐことができる。
【００５８】
また、点検作業が完了して点検モードから通常運転モードに切り替えられると、利用者に対して呼び登録ができる状態になったことが通知されるので（図１１参照）、保守員が各階から点検中のステッカーを取り外すなどの面倒な作業も不要であり、利用者が通常通りにエレベータを利用することができる。
【００５９】
（他の実施形態）
上述した実施形態では新規呼び登録を無効化するに際して、通知制御部１２ｂは呼び登録ができなくなる旨だけを通知するとしたが呼び登録が無効になるまでの残り時間を含めて通知しても良い。その具体例を以下に示す。
【００６０】
図１２は、新規呼び登録が無効になるまでの残り時間を含めた画面の一例を示す図である。この画面は、通知制御部１２ｂによって各階の乗場２０及び乗りかご３１内の表示器２４，３７に表示される。この例では、１分後に呼び登録ができなくなることを示している。ここで、残り時間の表示は、例えば１秒経過する度に「０：５９」、「０：５８」、…といったようにカウントダウン形式で順次更新される。
【００６１】
また、通知制御部１２ｂは、乗場２０及び乗りかご３１内のスピーカ２３，３６を通じて新規呼び登録が無効になるまでの残り時間を順次アナウンスする。例えば、通知制御部１２ｂは「呼び登録ができなくなるまで残り１分、…、残り１０秒、…、残り５秒、４、３、２、１、０、呼び登録ができなくなりました。」などとアナウンスする。なお、ここでの残り時間の通知は、表示と音声のどちらか一方であっても良い。
【００６２】
このように、新規呼び登録を無効化するに際し、新規呼び登録の無効化までの残り時間を含めて利用者に通知することで、利用者はいつ呼び登録ができなくなるかを知ることができる。したがって、例えば残り時間が少ない状態で呼び登録することを規制でき、点検作業前の呼び登録数の追加をできるだけ抑えて早めに点検モードに切り替えることができる。
【００６３】
なお、上述した実施形態では点検対象物件の乗りかごが１台の場合を想定して説明したが、複数の乗りかごが設けられている場合においても適用できる。その場合、携帯端末２６は、各乗りかごの点検順序の情報を含む点検開始信号を発信する。例えば、３台の乗りかご（Ａ号機、Ｂ号機、Ｃ号機）が設けられた物件において、保守員がＡ号機、Ｂ号機、Ｃ号機の順に点検作業を行う場合には、携帯端末２６を操作してＡ→Ｂ→Ｃの点検順序を指定する。これにより、携帯端末２６から上記指定された点検順序を含む点検開始信号が発信される。エレベータ制御装置１２は、この点検開始信号を無線伝送装置２５を介して受信することにより、当該信号に含まれる点検順序に従って各乗りかご毎に上記実施形態と同様の処理を実行する。
【００６４】
以上の実施形態によれば、保守員の点検作業開始までに要する時間を短縮でき、効率的に点検作業を進めることができる。
【００６５】
なお、本発明のいくつかの実施形態を説明したが、これらの実施形態は、例として提示したものであり、発明の範囲を限定することを意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１１…エレベータ、１２…エレベータ制御装置、１２ａ…呼び登録制御部、１２ｂ…通知制御部、１２ｃ…運転制御部、１２ｄ…点検情報取得部、１２ｅ…点検情報提供部、１３…遠隔登録装置、１４…公衆回線網、１５…監視センタ、１６…通信装置、１７…記憶装置、１７ａ…物件管理用のデータベース、１８…制御装置、２０…乗場、２１…乗場ドア、２２…乗場呼び登録装置、２２ａ…乗場呼びボタン、２３，３６…スピーカ、２４，３７…表示器、２５…無線伝送装置、２６…保守点検用携帯端末、２６ａ…操作ボタン、２６ｂ…表示部、３１…乗りかご、３２…かごドア、３３…操作パネル、３３ａ…階床ボタン、３３ｂ…戸開ボタン、３３ｃ…戸閉ボタン、３４…非常呼びボタン、３５…マイク。
【図１】
2017100852.tif 000003
【図２】
2017100852.tif 000004
【図３】
2017100852.tif 000005
【図４】
2017100852.tif 000006
【図５】
2017100852.tif 000007
【図６】
2017100852.tif 000008
【図７】
2017100852.tif 000009
【図８】
2017100852.tif 000010
【図９】
2017100852.tif 000011
【図１０】
2017100852.tif 000012
【図１１】
2017100852.tif 000013
【図１２】
2017100852.tif 000014
【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
建屋の任意の場所に設置された無線伝送装置を備えたエレベータ点検システムにおいて、
保守員の携帯端末から発信される点検開始信号を上記無線伝送装置を介して受信したときに、新規呼び登録を無効化する呼び登録制御手段と、
この呼び登録制御手段による新規呼び登録の無効化に際し、利用者に対して呼び登録の禁止を事前に通知する通知制御手段と、
新規呼び登録が無効化された状態で、現在登録済みの呼びのすべての応答完了を待って点検モードに切り替える運転制御手段とを具備し、
上記通知制御手段は、
上記運転制御手段によって上記点検モードに切り替えられたときに、新規呼び登録が無効化されたことを利用者に対して通知することを特徴とするエレベータ点検システム。
【請求項２】
上記通知制御手段は、
上記呼び登録制御手段によって新規呼び登録が無効化されるまでの残り時間をカウントし、その残り時間を含めて利用者に対して通知することを特徴とする請求項１記載のエレベータ点検システム。
【請求項３】
上記通知制御手段は、
上記運転制御手段によって上記点検モードに切り替えられたときに、保守員に対して点検作業が可能になった旨を上記無線伝送装置を介して上記携帯端末に送信することを特徴とする請求項１記載のエレベータ点検システム。
【請求項４】
上記建屋に設置されたエレベータの点検作業に必要な点検情報を取得する点検情報取得手段と、
この点検情報取得手段によって得られた点検情報を上記無線伝送装置を介して上記携帯端末に提供する情報提供手段と
をさらに具備したことを特徴とする請求項１記載のエレベータ点検システム。
【請求項５】
上記点検情報には、点検作業の内容と手順、過去の点検履歴から得られる異常箇所の情報を含むことを特徴とする請求項４記載のエレベータ点検システム。
【請求項６】
上記呼び登録制御手段は、
上記携帯端末から発信される点検終了信号を上記無線伝送装置を介して受信したときに、新規呼び登録を有効化することを特徴とする請求項１記載のエレベータ点検システム。
【請求項７】
上記通知制御手段は、
新規呼び登録が有効化されたことを利用者に対して通知することを特徴とする請求項６記載のエレベータ点検システム。
【手続補正２】
【補正対象書類名】明細書
【補正対象項目名】０００７
【補正方法】変更
【補正の内容】
【０００７】
上記呼び登録制御手段は、保守員の携帯端末から発信される点検開始信号を上記無線伝送装置を介して受信したときに、新規呼び登録を無効化する。上記通知制御手段は、上記呼び登録制御手段による新規呼び登録の無効化に際し、利用者に対して呼び登録の禁止を事前に通知する。上記運転制御手段は、新規呼び登録が無効化された状態で、現在登録済みの呼びのすべての応答完了を待って点検モードに切り替える。
さらに、上記通知制御手段は、上記運転制御手段によって上記点検モードに切り替えられたときに、新規呼び登録が無効化されたことを利用者に対して通知する。